(57)【特許請求の範囲】
【請求項１】
ユーザを撮影する撮影ブースと、前記撮影ブースとは異なる箇所に少なくとも一つ設けられて前記撮影ブースにおいて撮影した画像に対して編集処理を行う編集ブースと、
現在の時刻を計時する計時手段と、稼働時間を設定する設定手段と、計時した現在時刻が前記稼働時間を越えたかを判定する判定手段と、
前記判定手段により前記計時した現在時刻が前記稼働時間を越えたと判定したときに、
前記撮影ブースの利用開始を禁止し、かつ前記編集ブースの利用を終了させるよう編集処理の利用時間を制御する利用制限手段とを備えることを特徴とする写真撮影装置。
【請求項２】
利用制限手段は、編集処理の制限時間に所定の延長時間を付与しないことにより前記編集ブースの利用を終了させるよう制御する請求項１記載の写真撮影装置。
【請求項３】
利用制限手段は、無制限に設定されている編集処理の制限時間の無制限を解除することにより前記編集ブースの利用を終了させるよう制御する請求項１記載の写真撮影装置。
【請求項４】
利用制限手段は、ユーザに対して撮影ブースの利用可能時間が終了したことを表示する表示手段を含むことを特徴とする請求項１〜３の何れかに記載の写真撮影装置。
【請求項５】
利用制限手段に対して利用制限の開始を指示する指示手段を備えることを特徴とする請求項１〜４の何れかに記載の写真撮影装置。
【発明の詳細な説明】
【技術分野】
【０００１】
本発明は、写真撮影装置に関する。
【背景技術】
【０００２】
アミューズメント施設等に設置され、設けられた撮影ブース内において被写体（ユーザ）を自動的に撮影し、この撮影画像と、編集ブースにおいて付属のタッチペンによりユーザから入力される文字や図形、およびあらかじめ記憶されているスタンプ画像、フレーム画像、背景画像からなる編集画像とを合成して印刷用画像を作成し、この印刷用画像をシール等の印刷媒体に印刷して提供する写真撮影装置があることは広く知られている。このような写真撮影装置における撮影ブースと編集ブースとは互いに異なる位置に設けられ、異なるユーザが撮影ブースでの撮影プレイと編集ブースでの編集プレイとを同時に行えるといったいわゆる二重接客、編集ブースが２つであれば三重接客と呼ばれる形態をとっているものがある。
【０００３】
また、このような写真撮影装置においては、撮影に関する撮影プレイおよび編集に関する編集プレイに所定の制限時間を設けて、利用者の回転率を向上させるための設定がなされている。しかし、ユーザが編集ブースにて編集プレイを行っているときで、撮影ブースにおいて撮影プレイが行われていない場合などには、特に編集プレイの時間を制限する必要が無く、また、編集プレイ中のユーザに対して十分なプレイ時間を提供できるので、このような場合に限り、編集プレイの時間を無制限に設定したり、編集プレイの時間を通常の制限時間よりも長めに設定（延長設定）したりといった、サービスタイムを付加する設定がなされている。例えば特許文献１には、撮影プレイの進行状況に応じて、編集ブースでの編集可能時間を変動させることが記載されている。このようにすることで、編集時間が可能な限り延長されるので、ユーザの利用満足度を向上させることができる。
【０００４】
ここで、編集プレイの制限時間が１２０秒に設定されていて、この制限時間に対し延長時間として１８０秒の時間が付加される場合のフローの概略例を、図１４を用いて説明する。
【０００５】
図１４に示すように、編集プレイの開始時には、編集プレイの可能時間Ａとして通常の制限時間が１２０秒設定されている。編集プレイを開始すると、まず撮影プレイが行われているかを監視し（Ｓ２０１）、開始されていると判断した場合（Ｓ２０１でＹＥＳ）には、編集可能時間Ａ＝１２０秒として、編集プレイタイマにより編集可能時間Ａのカウントダウンを開始する（Ｓ２０３）。また、Ｓ２０１において撮影プレイが行われていないと判断した場合（Ｓ２０１でＮＯ）には、編集可能時間ＡにＡ＋１８０秒を代入する（Ｓ２０２）し、処理をＳ２０３に進める。この１８０秒が、制限時間に対してサービスタイムとして付加される延長時間である。なお、この延長時間として∞秒が付加される場合は、サービスタイムとして無制限の設定がされるときである。
【０００６】
そして、Ｓ２０３でカウントダウンを開始すると、編集可能時間Ａが０になったかを監視する（Ｓ２０４）。ここで、Ａ＝０と判断した場合（Ｓ２０４でＹＥＳ）には、編集プレイを終了し、Ａ＝０になっていない場合（Ｓ２０４でＮＯ）には、ユーザから編集プレイの終了ボタンが押されたかを監視する（Ｓ２０５）。Ｓ２０５において、編集終了ボタンが押されたと判断した場合（Ｓ２０５でＹＥＳ）には、編集プレイを終了し、編集終了ボタンが押されていないと判断した場合（Ｓ２０５でＮＯ）には、処理をＳ２０４に戻す。
【０００７】
以上のような処理を行うことで、撮影プレイが行われていない場合に限り、編集プレイの制限時間にサービスタイムを付加することができる。
【０００８】
一方、このような写真撮影装置が設置されるアミューズメント施設等においては、その営業時間が定められている所が多く、営業の終了時刻の前後で、ユーザが写真撮影装置やその他の遊戯装置の利用を始めることを抑制し、できるだけ速やかに営業を終えることが望まれている。
【０００９】
このような中、例えば特許文献２には、あらかじめ設定されたロックアウト時刻を保持する保持手段を有し、タイマによって計時された現在時刻が、保持されているロックアウト時刻を過ぎたときに、貨幣等の投入を阻止する投入阻止機構を作動させ、その時点において、ゲームがプレイ途中であれば、そのゲームが終了するまで継続させたのち装置を終了する業務用のゲーム装置が開示されている。
【００１０】
このようなゲーム装置によると、ロックアウト時刻において、ユーザがプレイ中のゲームを強制終了することなく、ロックアウト時刻以降のゲーム装置の利用を阻止することができるので、このゲーム装置の利用を、ロックアウト時刻の近傍で終了させることができ、ゲーム装置が設置されている施設では、ロックアウト時刻の近傍で、閉店作業に入ることができる。
【特許文献１】特許第３３２４０３８号公報
【特許文献２】特許第３３３１３４７号公報
【発明の開示】
【発明が解決しようとする課題】
【００１１】
特許文献１に記載されている分離型画像プリント供給装置においては、編集可能時間は、撮影ブースの使用状況に応じて変動するように設定されているため、例えばアミューズメント施設等の営業終了時刻を経過した場合であっても、撮影ブースにおいて別ユーザが撮影プレイ中でなければ、編集可能時間は延長されたままであり、編集ブースにおけるユーザの利用が終了するまでは、装置全体の利用を終了させることができず、閉店作業に取り掛かる時刻が遅くなってしまうという問題がある。
【００１２】
また上述の通り、写真撮影装置は、二重、三重の接客方式を採用しているものが多く、例えば特許文献２に記載されているような、単に一組のユーザのみを接客する（以下、一重接客と記す）ゲーム装置とは異なり、撮影ブースおよび編集ブースのいずれにおいてもプレイが終了している状態で、かつ、印刷作業が終了している状態でなければ、写真撮影装置全体の稼働を終了することができない。
【００１３】
例えば二重接客方式の場合、施設の営業終了時刻の近傍において、撮影プレイが行われていない状態で一組のユーザが編集ブースにて編集プレイを行っており、このときに、また別の新たなユーザが写真撮影装置の利用を開始してしまうと、たとえ編集ブースにおける編集プレイが終了したとしても、この新たなユーザの利用を強制的に終了させるわけにはいかず、結局この新たなユーザの利用が終わるまでは、写真撮影装置全体の稼働を終了することができない。すなわち、回転率向上のために採用した多重接客方式により、ランダムに訪れる複数のユーザを接客可能となったため、写真撮影装置の稼働を終了させる場合には、これらすべてのユーザの利用終了を待つ必要があり、結果的に閉店作業に取り掛かる時刻が遅くなってしまうという問題がある。また特に、この新たなユーザが編集プレイに移行したときに、さらに新たなユーザが写真撮影装置の利用を開始してしまうと、閉店作業に取り掛かる時刻はますます遅れてしまう。さらに、付加されたサービスタイム中に新たなユーザが訪れる場合もあり、営業終了時刻の近傍において写真撮影装置の稼働を終了させることがますます難しくなる。
【００１４】
また、これに対して、営業終了時間を厳守するために、写真撮影装置が稼働しているにもかかわらず、強制的に電源を落とすこともできるが、内蔵されている種々のコンピュータ装置を正常終了することができず、これらのコンピュータ装置に異常が生じる原因にもなりかねないので、好ましい方法ではない。
【００１５】
そこで本発明はこのような問題を解決して、多重接客方式を採用する写真撮影装置において、営業終了時刻の近傍において装置の稼働を円滑に終了させることを目的とする。
【課題を解決するための手段】
【００１６】
上記課題を解決するために請求項１記載の発明は、ユーザを撮影する撮影ブースと、前記撮影ブースとは異なる箇所に少なくとも一つ設けられて前記撮影ブースにおいて撮影した画像に対して編集処理を行う編集ブースと、現在の時刻を計時する計時手段と、稼働時間を設定する設定手段と、計時した現在時刻が前記稼働時間を越えたかを判定する判定手段と、前記判定手段により前記計時した現在時刻が前記稼働時間を越えたと判定したときに、前記撮影ブースの利用開始を禁止し、かつ前記編集ブースの利用を終了させるよう編集処理の利用時間を制御する利用制限手段とを備えるものである。
【００１７】
このような構成によると、設定手段により、あらかじめ稼働時間を設定しておくことで、計時した現在時刻が設定した稼働時間を越えた際には、利用制限手段により、撮影ブースの利用開始を禁止することでユーザが写真撮影装置の利用を新たに開始することを抑制でき、かつ編集ブースの利用に対して設定されている利用可能時間を短くするなどの制限を加えることで編集ブースの利用を終了させることができる。したがって、例えば写真撮影装置が設置される店舗の営業終了時刻など、写真撮影装置の稼働を終了させる必要があるときには、利用制限手段により写真撮影装置を利用することを確実に防止することができ、かつ編集ブースの利用を終了させることができるので、撮影ブースと編集ブースとが分離した、いわゆる多重接客方式を採用する写真撮影装置であっても、ユーザによる写真撮影装置の利用を円滑に終了させることができ、営業終了時刻の近傍において、遅滞なく閉店作業に取り掛かることができる。また、このようにすることで、写真撮影装置の電源を強制的に落として写真撮影装置の稼働を終了する必要もない。
【００１８】
請求項２記載の発明は、請求項１記載の写真撮影装置において、利用制限手段は、編集処理の制限時間に所定の延長時間を付与しないことにより前記編集ブースの利用を終了させるよう制御するものである。
【００１９】
このような構成によると、例えば編集ブースの利用時間として制限時間が設定され、さらにこの制限時間に対してサービスタイムが付加されている場合であっても、写真撮影装置が設置される店舗の営業終了時刻など、写真撮影装置の稼働を終了させる必要があるときには、この制御手段により、サービスタイムを付加しないことにより編集ブースの利用を終了させることができる。したがって、編集ブースの制限時間に対して可能な限りでサービスタイムを付加し、ユーザにとっての利用満足度を充足させつつ、この営業終了時刻の近傍において、写真撮影装置の稼働を円滑に終了させることができる。
【００２０】
請求項３記載の発明は、請求項１記載の写真撮影装置において、利用制限手段は、無制限に設定されている編集処理の制限時間の無制限を解除することにより前記編集ブースの利用を終了させるよう制御するものである。
【００２１】
このような構成によると、例えば編集ブースの利用時間として制限時間が無制限に設定されている場合であっても、写真撮影装置が設置される店舗の営業終了時刻など、写真撮影装置の稼働を終了させる必要があるときには、この制御手段により、無制限の利用時間を解除することにより編集ブースの利用を終了させることができる。したがって、編集ブースの制限時間に対して可能な限りでサービスタイムを付加し、ユーザにとっての利用満足度を充足させつつ、この営業終了時刻の近傍において、写真撮影装置の稼働を円滑に終了させることができる。
【００２２】
請求項４記載の発明は、請求項１〜３の何れかに記載の写真撮影装置において、利用制限手段は、ユーザに対して撮影ブースの利用可能時間が終了したことを表示する表示手段を含むものである。
【００２３】
このような構成によると、表示手段により、ユーザに対して撮影ブースの利用可能時間が終了したことを表示することで、それ以降に、ユーザが撮影ブース、すなわち写真撮影装置の利用を開始することを抑制することができる。これにより、写真撮影装置の稼働の終了を円滑に行うことができる。
【００２６】
請求項５記載の発明は、請求項１〜４の何れかに記載の写真撮影装置において、利用制限手段に対して利用制限の開始を指示する指示手段を備えるものである。
【００２７】
このような構成によると、指示手段により、利用制限手段に対して利用制限の開始を指示することができるので、例えば利用制限手段による利用制限の開始をする時刻をあらかじめ設定しておく場合に比べて、設定の手間が省けるとともに、写真撮影装置が設置される店舗の管理者などが、任意のタイミングで写真撮影装置の稼働を終了させることができる。
【発明の効果】
【００２８】
以上のように本発明によれば、多重接客方式を採用する写真撮影装置において、営業終了時刻の近傍において装置の稼働を円滑に終了させることができる。
【発明を実施するための最良の形態】
【００２９】
（実施の形態１）
本発明の実施の形態１の写真撮影装置１を、図１〜図１１を参照しながら説明する。
【００３０】
まず、写真撮影装置１の外観構成から説明する。図１は写真撮影装置１を示す側面図、図２は図１に示した編集側筐体８の斜視図である。
【００３１】
図１および図２に示すように、写真撮影装置１は、被写体を撮影するカメラ２を備える撮影側筐体３と、この撮影側筐体３におけるカメラ２と対向する位置に距離を置いて設けられている背景ユニット４と、筐体３と背景ユニット４の上部に左右一対の天井フレーム５が架設されて形成される撮影ブース６内に設けられ、被写体であるユーザの撮影ポーズの形成を補助する門型のはしご７と、撮影側筐体３の背面に隣接して設けられている編集側筐体８とを備える。
【００３２】
撮影側筐体３における背景ユニット４に対向する側の面には、カメラ２のほか、カメラ２が現在撮影している画像をユーザに対してリアルタイムで表示し、かつ、ユーザからの操作入力を受け付けるとともにデモ画面や撮影操作の手順等をユーザに対して表示する表示手段としてのタッチパネルディスプレイ９（図３参照）と、撮影時にユーザを照射するための複数のストロボ１０（図３参照）と、コインを投入するためのコイン投入口と、撮影操作時に音声案内やＢＧＭを出力する撮影側スピーカ１１（図３参照）と、後述する指示手段としての稼働終了指示ボタン３２（図３参照）とが設けられている。
【００３３】
さらに、この撮影側筐体３の外部における一方の側面にはプリント取出口１２が設けられ、このプリント取出口１２からは、撮影画像と編集入力した画像とを合成した印刷用画像（編集画像を入力しなかった場合には撮影画像）が撮影側筐体３の内部に収納されたプリンタ１３（図３参照）によってシールシートなどの印刷媒体１４（図３参照）に印刷されたものが排出される。
【００３４】
背景ユニット４における撮影側筐体３に対向する側の上部には、撮影時にユーザの背景となる背景カーテン１５ａを複数種類備えたカーテンユニット１５が設けられている。それぞれの背景カーテン１５ａは、カーテンユニット１５内に巻き取られた状態で収納されており、カーテンユニット１５は、ユーザからタッチパネルディスプレイ９への操作を介して指定された背景カーテン１５ａを、背景ユニット４の壁面に沿って垂下させる。
【００３５】
一方、編集側筐体８には、撮影ブース６において撮影した画像を表示して付属のタッチペン１６によりユーザからの編集入力を受け付けるタブレットディスプレイ１７と、編集入力操作時に音声案内やＢＧＭを出力する編集側スピーカ１８（図３参照）とが設けられている。なお、図中においては現れていないが、編集側筐体８の反対側にも、タッチペン、タブレットディスプレイ、編集側スピーカが設けられており、異なる２組のユーザが、それぞれが撮影した画像に対して同時に編集処理を行うことが可能とされている。また、図２における１９は、撮影ブース６とは異なる箇所に設けられて、ユーザが、撮影された画像に対して編集処理を行う編集ブースである。したがって、本実施の形態の写真撮影装置１は、一つの撮影ブース６と二つの編集ブース１９とを備える三重接客方式を採用している。なお、上記の撮影ブース６および編集ブース１９の周囲には、ユーザがそれぞれのブースにおいて操作処理を行う際に、他の利用者から画像等の内容が見えないようにするための周囲カーテンが設けられているが、図面の煩雑化を避けるため、図示は省略している。
【００３６】
上記の写真撮影装置１は、ユーザからのニーズに対応すべくさまざまな機能、例えば音声案内機能、ストロボ照射光の変更機能などを備えている。これらさまざまの機能を実現するための機能構成を、図３を参照しながら説明する。図３は、写真撮影装置１の機能構成を示すブロック図である。
【００３７】
図３に示すように、写真自動販売装置１は、カメラ２による撮影およびカメラ２によって撮影した画像の転送など、撮影に関するデータ処理である撮影側の処理を実行する撮影用コンピュータ装置２０ａと、編集処理時にユーザからタブレットディスプレイ１７に入力された情報の内容をこのタブレットディスプレイ１７に表示するとともに、入力された情報に基づいて編集入力する画像の作成、描画などの編集に関する処理やプリンタ１３の印刷に関する処理を実行する画像編集用コンピュータ装置２０ｂと、動作中のコンピュータ装置２０ａ、２０ｂからの指示を受け付けて、接続されている各種装置を制御する制御基板２１とを備える。この撮影用コンピュータ装置２０ａと画像編集用コンピュータ装置２０ｂとは互いに接続され、画像データなどの授受をピアツーピアで行う。
【００３８】
この撮影用コンピュータ装置２０ａは、撮影ブース６にて行われる操作に関する処理を行うため、詳細は後述するが、撮影ブースの利用開始を禁止する禁止手段としてのコイン制御部３０（詳細は後述）を制御する機能、ユーザに対して撮影ブースの利用可能時間が終了したことを表示手段としてのタッチパネルディスプレイ９に案内表示させる機能、並びに現在の時刻を計時する計時手段としての現在時刻計時手段、稼働時間を設定する設定手段、計時した現在時刻が稼働時間を越えたのかを判定する判定手段、撮影プレイの経過時間を計時する撮影プレイタイマとしての機能を備え、所定のデータ処理を実行することができる。
【００３９】
また、画像編集用コンピュータ装置２０ｂは、編集ブース１９にて行われる操作に関する処理を行うため、編集ブース１９の利用時間を制御する制御手段、編集プレイの制限時間をカウントする編集プレイタイマ、現在時刻計時手段、判定手段としての機能を備え、所定のデータ処理を実行することができる。
【００４０】
なお、現在時刻計時手段、判定手段としての機能は、画像編集用コンピュータ装置２０ｂに備えられていなくてもよく、この場合には、撮影用コンピュータ装置２０ａから画像編集用コンピュータ装置２０ｂに、随時、現在の時刻、設定された稼働時間、判定手段による判定結果の情報が送られるように設定しておけばよい。また、特許請求の範囲に記載した利用制限手段とは、上記の禁止手段、制御手段、表示手段、のうちの何れかまたは、これらの組み合わせにより構成されるものを意味する。すなわち、写真撮影装置１が利用制限手段を備えるとは、これらの禁止手段、制御手段、表示手段、のうちの何れかまたは、これらの組み合わせにより構成される機能を有することである。
【００４１】
コンピュータ装置２０ａ、２０ｂは、ＣＰＵ(Ｃｅｎｔｒａｌ  Ｐｒｏｃｅｓｓｉｎｇ  Ｕｎｉｔ)２２ａ、２２ｂと、写真撮影装置１に所定の処理を実行させるためのプログラム、種々の処理に必要なグラフィックデータ、音声データ、撮影画像、編集入力する画像などを記憶するハードディスクドライブ（ＨＤＤ）２３ａ、２３ｂと、プログラムの一時的な作業領域となるメモリ２４ａ、２４ｂとを有する。
【００４２】
撮影用コンピュータ装置２０ａは、撮影ブース６での撮影側の処理を実行する。具体的には、内部のＨＤＤ２３ａに記憶された撮影側の処理のプログラムを実行して、写真撮影装置１の稼働時間を管理するとともに、ユーザからタッチパネルディスプレイ９を介して受け付けた入力操作に基づく指示信号に従って制御基板２１に対して制御信号を送信する。また、撮影用コンピュータ装置２０ａは、カメラ２、タッチパネルディスプレイ９、制御基板２１と電気的に接続され、それらを制御する。また、撮影側筐体３に設けられている稼働終了指示ボタン３２からの指示信号を受け、上記の禁止手段としてのコイン制御部３０によるコインブロック、制御手段としての機能による利用時間の制御、表示手段としてのタッチパネルディスプレイ９への案内表示を任意のタイミングで行う。
【００４３】
画像編集用コンピュータ装置２０ｂは、編集ブース１９での編集入力等の処理および撮影側筐体３内に収納されているプリンタ１３の印刷処理を実行する。具体的には、画像編集用コンピュータ装置２０ｂは、タブレットディスプレイ１７に対してユーザが行うタッチペン１６による入力情報に応じて制御信号を制御基板２１に送信する。この画像編集用コンピュータ装置２０ｂは、プリンタ１３、タブレットディスプレイ１７、制御基板２１に電気的に接続され、それらを制御する。
【００４４】
プリンタ１３は、撮影画像と、撮影画像に対して編集処理により入力された画像とを合成した印刷用画像をシールシートなどの印刷媒体１４に印刷する。本実施の形態では、プリンタ１３が印刷用画像をシールシートに印刷する場合を説明するが、印刷媒体１４はシールシートに限定されず、他の印刷媒体でもよい。
【００４５】
撮影側筐体３に設けられているタッチパネルディスプレイ９は、ユーザの指等の接触を検知し、その位置に応じた指示信号を撮影用コンピュータ装置２０ａに送信する。このタッチパネルディスプレイ９は、撮影用コンピュータ装置２０ａから送信された画像、具体的には、カメラ２で撮像された画像、撮影のための案内、選択肢、後述する利用可能時間の終了などをユーザに対して表示する。
【００４６】
タブレットディスプレイ１７は、付属の左右のタッチペン１６におけるペン先の接触を検知し、その位置に応じた指示信号を画像編集用コンピュータ装置２０ｂに送信する。このタブレットディスプレイ１７は、画像編集用コンピュータ装置２０ｂから送信された画像、具体的には、編集処理時にユーザにより描画されたペン画像、スタンプ画像、フレーム画像、背景画像などの編集画像を、表示している撮影画像の上に重ねて表示する。
【００４７】
制御基板２１は、コンピュータ装置２０ａ、２０ｂの他に、ストロボ制御部２５、撮影ブース６や編集ブース１９に設けられている蛍光灯２６、サービスパネル２７、印刷中ＬＥＤ２８、印刷エラーＬＥＤ２９、コイン制御部３０、カーテンユニット１５および音声制御部３１に接続され、それぞれを所定の設定に従って制御する。
【００４８】
ストロボ制御部２５はカメラ２およびストロボ１０に接続され、カメラ２のシャッタタイミングに応じて発光するようにストロボ１０を制御する。
【００４９】
禁止手段としてのコイン制御部３０は、コイン投入口に投入されたコインの正当性を検出し、制御基板２１にコインが投入されたことを示す検出信号を送信する。このとき、制御基盤２１は、撮影用コンピュータ装置２０ａあるいは画像編集用コンピュータ装置２０ｂから受信した制御信号（指示コマンドなど）にしたがって、コイン制御部３０に対して制御信号を送信する。所定枚数のコインが投入されると、コイン制御部３０は制御信号にしたがって、新たにコインが投入されないようにコイン投入口をブロックするか、コイン投入口に投入されたコインをコイン返却口から排出することができる。コイン制御部３０は、前者の場合はコインブロッカーとして機能し、後者の場合はコインキャンセラーとして機能する。所定枚数のコインが投入された場合等においては、前述のいずれかの方法でユーザからのコインの投入を受け付けないようにすることができる。
【００５０】
サービスパネル２７は、投入されたコインの枚数をカウントするコインカウンタ、印刷されたプリントの枚数をカウントするプリントカウンタ、撮影側スピーカ１１、編集側スピーカ１８から出力する音声のボリュームを調整する音量調整つまみ、後述するテストモードを行うためのテストボタン、コインを投入しなくても装置が利用できるようにするためのサービスボタン等を備えるパネルであって、写真撮影装置１が設置される店舗などの管理人が各種設定やメンテナンスの操作を行う際に用いる。サービスパネル２７は、テストボタンの操作などが行なわれると、その操作にしたがった制御信号を制御基板２１に対して送信する。
【００５１】
制御基板２１は、撮影用コンピュータ装置２０ａあるいは画像編集用コンピュータ装置２０ｂから受信した制御信号（指示コマンドなど）にしたがって、サービスパネル２７に対して制御信号を送信する。サービスパネル２７は、この制御信号に従って、コインカウンタやプリントカウンタを動作させる（たとえばカウンタを１インクリメントする）。
【００５２】
音声制御部３１は制御基板２１を介して撮影用コンピュータ装置２０ａおよび画像編集用コンピュータ装置２０ｂに接続されている。撮影用スピーカ１１は、撮影ブース６に配備され、撮影用コンピュータ装置２０ａから制御基板２１および音声制御部３１を介して与えられる指示信号に基づいて、撮影のための操作方法などの案内やＢＧＭなどを出力する。編集用スピーカ１８は、編集ブース１９に配備され、画像編集用コンピュータ装置２０ｂから制御基板２１および音声制御部３１を介して与えられる指示信号に基づいて、編集のための操作方法などの案内やＢＧＭなどを出力する。
【００５３】
以上のような構成において、ユーザは、撮影ブース６内において、はしご７を利用するなどして好みの撮影ポーズを形成して写真撮影を行い、撮影が終了すると、撮影した画像が表示される側の編集ブース１９に移動し、タッチペン１６を用いて、撮影画像が表示されるタブレットディスプレイ１７に対して編集処理を行う。そして、編集処理が終わると、ユーザは、編集時に入力した画像と撮影画像とが合成されて生成された印刷用画像がシールシートに印刷されて排出されるプリント取出口１２に移動し、出力されるシールシートを取得して写真撮影装置１の利用を終了する。ここで、上記の撮影側の処理、編集側の処理について詳述する。
【００５４】
まず、撮影側の処理について、図４を参照しながら説明する。この撮影側の処理は、撮影用コンピュータ装置２０ａにおけるＣＰＵ２２ａがＨＤＤ２３ａに記憶された動作プログラムをメモリ２４ａに読出して実行することで実現される。
【００５５】
図４に示すように、はじめに、写真撮影装置１に電源が投入されると、撮影用コンピュータ装置２０ａ、画像編集用コンピュータ装置２０ｂのＨＤＤ２３ａ、２３ｂに格納された動作プログラムが起動する。ＣＰＵ２２ａ、２２ｂは、各種機器が正常に接続されているかチェックし、初期化が必要な機器に対しては初期化を行う（Ｓ１１）。
【００５６】
初期化処理時に、コイン制御部３０がコイン投入口をロックするように作動している場合は、ＣＰＵ２２ａはロックを解除する指示信号を送出し、ロックを解除する。そしてコイン投入を可能にする（Ｓ１２）。なお、コイン投入口に投入されたコインをコイン返却口から排出するようにされている場合には、ＣＰＵ２２ａはコインを排出する状態を解除する指示信号を送出し、コイン投入を可能にする。
【００５７】
次にＣＰＵ２２ａは、写真撮影装置１の利用を促すタイトルデモ画面を撮影ブース６におけるタッチパネルディスプレイ９に表示し（Ｓ１３）、その間にコイン制御部３０において対価であるコインの投入を監視する（Ｓ１４）。
【００５８】
コインが投入されておらず（Ｓ１４でＮＯ）、「テストボタン」が押された場合（Ｓ１５でＹＥＳ）には、ＣＰＵ２２ａはテストモードプログラムを実行する（Ｓ１６）。
【００５９】
このテストモードにおいて、稼働時間、すなわち写真撮影装置１の利用可能時間が設定される。詳細には、まず、図５に示すように、テストモードメインメニュー画面（図６参照）を表示し（Ｓ４１）、「デモに戻る」ボタンが押されたかを判断する（Ｓ４２）。「デモに戻る」ボタンが押された場合（Ｓ４２でＹＥＳ）には、テストモードを終了すべく、処理を図４に示す撮影側処理のＳ１３に戻し、「デモに戻る」ボタンが押されなかった場合（Ｓ４２でＮＯ）には、次に、稼働時間を設定するための「運営タイマー設定メニューへ」が選択されたかを判断し（Ｓ４３）、選択されていない場合（Ｓ４３でＮＯ）には、例えば撮影関連テストメニューなど、他のメニューが選択されかを判断する（Ｓ４４）。Ｓ４４において、他のメニューも選択されていないと判断した場合（Ｓ４４でＮＯ）には、処理をＳ４２に戻す。また、Ｓ４４において、他のメニューが選択されたと判断した場合（Ｓ４４でＹＥＳ）には、選択されたメニューに対応した設定・処理を行い（Ｓ４５）、処理をＳ４１に戻す。
【００６０】
Ｓ４３において、「運営タイマー設定メニューへ」が選択された場合（Ｓ４３でＹＥＳ）には、運営タイマー設定画面（図７参照）を表示する（Ｓ４６）。そして、ＣＰＵ２２ａが備える設定手段としての機能により、店舗の管理人は、写真撮影装置１を稼働させておく時間、すなわち稼働開始時刻から稼働終了時刻までを、「何時から何時まで」のように、例えば９時００分〜２３時００分というように設定する。そして、「運営タイマーを設定してメインメニューへ戻る」ボタンが選択されたかを判断し（Ｓ４７）、選択されない場合（Ｓ４７でＮＯ）には、Ｓ４７の処理を続け、選択された場合（Ｓ４７でＹＥＳ）には、入力された稼働時間を保存して（Ｓ４８）、この時間を写真撮影装置１の稼働に反映できるように適用する。そして、処理をＳ４１に戻す。ちなみに、図７において、運営タイマー設定における「ＯＮ」ボタンが選択された場合には、当然に、上記の設定された稼働時間を適用し、「ＯＦＦ」ボタンが選択された場合には、上記の設定された稼働時間を適用しない。
【００６１】
なお、この稼働時間の設定は、図８に示すように、曜日ごとに個別に設定できるようにしてもよい。この場合、現在時刻計時手段に連動する曜日保持手段を設け、例えば、月曜日の稼働時間は何時から何時まで、・・・日曜日の稼働時間は何時から何時まで、というように曜日ごとに設定する。このようにすることで、平日、休日、休業日、特異日など、その日によって写真撮影装置１の稼働時間が異なる場合でも、オペレータは、いちいち稼働時間の設定を変更する必要がなくなり、操作性が向上する。また、図示は省略するが、同様にして、暦（カレンダー）のように、月単位で、各日の設定を行えるようにしてもよい。
【００６２】
Ｓ４１に戻りメニュー画面を表示し、Ｓ４２において「デモに戻る」ボタンが押されると、処理を図４に示す撮影側処理のＳ１３に戻す。
【００６３】
図４に戻って、Ｓ１３においてタイトルデモ画面を表示し、Ｓ１４において、所定の枚数のコインが、ユーザにより投入されたと判断する（Ｓ１４でＹＥＳ）と、これ以上のコインが過剰に投入されないように、コイン投入口をロック（Ｓ１７）、または、コイン投入口に投入されたコインをコイン返却口から排出するようにして、コインの投入を受け付けないようにする。
【００６４】
そして、ＣＰＵ２２ａは撮影を開始し（Ｓ１８）、所定回数の撮影が行われるまで撮影を続け（Ｓ１９）、所定回数の撮影を終えると（Ｓ１９でＹＥＳ）、撮影した画像を画像編集用コンピュータ装置２０ｂに転送する（Ｓ２０）。このとき、このユーザは撮影プレイが終了したことになるので、撮影ブース６を出て、次の編集プレイを行うべく、所定の編集ブース１９に移動する。したがって、撮影ブース６はユーザがいない状態となる。なお、ここでは撮影回数を制限しているが、撮影時間を制限するようにしてもよい。また、所定回数撮影した後にまだ制限時間が残っている場合や、編集ブース１９で先のユーザがまだ編集プレイをしている場合には、それらが終了するまで撮影プレイを続行できるようにしてもよいし、撮影ブース６内において待機させるように案内してもよい。
【００６５】
Ｓ２０において撮影した画像を画像編集用コンピュータ装置２０ｂに転送しつつ、稼働時間の設定がなされているかを判断する（Ｓ２１）。設定がなされていない場合には、処理をＳ１２に戻してコインロックを解除し、Ｓ１３でタイトルデモ画面を表示して、新たなユーザの利用を待つ。
【００６６】
Ｓ２１において、稼働時間の設定が行われていると判断した場合（Ｓ２１でＹＥＳ）には、ＣＰＵ２２ａが備える判定手段および現在時刻計時手段としての機能により、現在時刻が設定された稼働時間を越えているかを判断する（Ｓ２２）。越えていないと判断した場合には、処理をＳ１２に戻してコインロックを解除し、Ｓ１３でタイトルデモ画面を表示して、新たなユーザの利用を待つ。
【００６７】
Ｓ２２において、現在時刻が設定された稼働時間を越えていると判断した場合（Ｓ２２でＹＥＳ）には、ＣＰＵ２２ａはタッチパネルディスプレイ９に対し、これ以降に撮影ブース６、写真撮影装置１を利用しようとする新たなユーザに対して、「今日はもう終わったよ。また明日あそんでね！」など、撮影ブース６、写真撮影装置１の利用が、今日はもうできない、すなわち利用可能時間が終了した旨を表示する（Ｓ２３）。このとき、Ｓ１７においてなされたコインロックの状態が解除されていない、すなわちＣＰＵ２２ａが禁止手段としての機能を発揮している状態であるので、これらにより、設定された稼働時間を経過した後に、別のユーザが新たに写真撮影装置１を利用し始めることを確実に防止することができる。なお、コインブロックがされていなくても、利用可能時間が終了したことをタッチパネルディスプレイ９に表示することで、ユーザが写真撮影装置１を開始することを防止することができる。このようにして、ユーザからの受付を終了する。
【００６８】
なお、このようにユーザからの利用受付を終了した場合、次の利用を順番待ちしていたユーザは不満を感じることがある。そこで、このような場合に備えて、コインブロック等による受付終了状態を、管理者にしか分からない特定の操作（例えば、タッチパネルディスプレイ９の四隅を順にタッチする操作を２回続けるといった操作）によって解除できるようにしておく。したがって、Ｓ２３の処理後には、上記の特定操作が行われたかを監視する（Ｓ２４）。Ｓ２４において特定操作がされたと判断した場合（Ｓ２４でＹＥＳ）には、処理をＳ１２に戻し、順番待ちをしていたユーザの利用を受け付けるようにし、このユーザの不満を解消できるようにする。この特定操作による解除により受け付ける利用回数は、一回のみでもよいし、適宜の回数でもよい。
【００６９】
以上のようにすることで、設定した稼働時間以外においては、ユーザが撮影ブース６、写真撮影装置１の利用を新たに開始することを確実に防止することができ、撮影ブース６と編集ブース１９とが分離した、いわゆる多重接客方式を採用する写真撮影装置１であっても、ユーザによる写真撮影装置１の利用を、店舗の営業終了時刻に合わせて円滑に終了させることができる。したがって、前記店舗においては、営業終了時刻の近傍において、遅滞なく閉店作業に取り掛かることができる。また、このようにすることで、写真撮影装置１の電源を強制的に落として写真撮影装置１の稼働を終了する必要もない。
【００７０】
なお、Ｓ１４において、コインが投入されず（Ｓ１４でＮＯ）、Ｓ１５において「テストボタン」が押されなかった場合（Ｓ１５でＮＯ）には、ここでも稼働時間の設定がなされているかを判断する（Ｓ２８）。設定がなされていない場合（Ｓ２８でＮＯ）には、処理をＳ１４に戻してユーザの利用を待つ。
【００７１】
Ｓ２８において、稼働時間の設定が行われていると判断した場合（Ｓ２８でＹＥＳ）には、ＣＰＵ２２ａが備える判定手段および現在時刻計時手段としての機能により、現在時刻が設定された稼働時間を越えているかを判断する（Ｓ２９）。越えていないと判断した場合には、処理をＳ１４に戻してユーザの利用を待つ。Ｓ２８において現在時刻が設定された稼働時間を越えていると判断した場合（Ｓ２９でＹＥＳ）には、コインロックをし（Ｓ３０）、処理をＳ２３に移して、Ｓ２３以降の処理をすることで、写真撮影装置１の稼働を終了させる。なお、ここでは、コインブロックをせずに、タッチパネルディスプレイ９に利用可能時間が終了した旨を表示するだけでもかまわない。
【００７２】
このようにすることで、撮影ブース６においてユーザが撮影プレイをしていない、すなわち撮影ブース６が空きの状態でも、ＣＰＵ２２ａが備える現在時刻計時手段および判定手段としての機能により、現在時刻が稼働時間を越えたかを監視しているので、写真撮影装置１が稼働していても、稼働時間を過ぎれば、自動的に写真撮影装置１の稼働が終了されるので、写真撮影装置１が設置される店舗などの管理人は、店舗の営業終了時刻の近傍において、速やかに閉店作業に取り掛かることができる。
【００７３】
次に、編集側の処理について説明する。撮影ブース６において所定の枚数の写真撮影を終えたユーザは、次に、撮影した画像が表示される側の編集ブース１９に移動し、編集ブース１９において、タブレットディスプレイ１７に表示される撮影画像に対し、タッチペン１６を用いて編集処理を行う。このとき、画像編集用コンピュータ装置２０ｂのＣＰＵ２２ｂはＨＤＤ２３ｂに記憶された動作プログラムをメモリ２４ｂに読出して実行することにより、図９に示す手順で編集側の処理を行う。
【００７４】
すなわち、図９に示すように、ＣＰＵ２２ｂは、撮影プレイから始めるよう促す待機画面（図示は省略）をタブレットディスプレイ１７に表示する（Ｓ５１）。上述した撮影側の処理が終了すると、撮影用コンピュータ装置２０ａから画像編集用コンピュータ装置２０ｂに、撮影画像のデータが転送されて来るので、画像編集用コンピュータ装置２０ｂにおけるＣＰＵ２２ｂは、これを受信する（Ｓ５２）。そして、ＣＰＵ２２ｂは、所定の編集画面（図示は省略）を表示して（Ｓ５３）、編集処理を受け付ける、すなわち編集プレイを開始する（Ｓ５４）。この編集処理では、タッチパネルディスプレイ１７に表示されている撮影画像に対し、タッチペン１６により、ペン画像、スタンプ画像、背景画像を描画するなどの処理を行うが、この編集処理は、既に公知であるので詳細な説明は省略する。なお、この編集処理を受け付けている間、すなわち編集プレイの間は、ＣＰＵ２２ｂが有する編集プレイタイマとしての機能により、編集プレイの制限時間のカウントを開始する。この編集ブース１９の利用時間の管理に関する処理は、編集処理と同時に行われているが、説明の便宜上、これらの処理を個別に説明する。
【００７５】
そして、編集処理が終了すると、編集処理により入力した画像と撮影画像とを合成した印刷用画像を、タブレットディスプレイ１７に並べて表示し（Ｓ５５）、ユーザはタブレットディスプレイ１７に表示された合成画像から、印刷したい画像を選択し、ＣＰＵ２２ｂは、ユーザの選択に基づいて、印刷すべき画像を確定して、印刷媒体１４に印刷用画像を印刷する（Ｓ５６）。ここで印刷用画像が印刷された印刷媒体１４は、プリント取出口１２に排出されユーザに提供される。これにより、ユーザの編集プレイ、すなわち写真撮影装置１の利用が完全に終了する。
【００７６】
しかしながら、Ｓ５６において印刷処理を行っているときに、ＣＰＵ２２ｂは、判定手段および現在時刻計時手段としての機能により、現在時刻が設定された稼働時間を越えているかを判断する（Ｓ５７）。越えていないと判断した場合（Ｓ５７でＮＯ）には、処理をＳ５１に戻して待機画面を表示し、次のユーザの利用を待つ。
【００７７】
また、Ｓ５７において、現在時刻が設定された稼働時間を越えていると判断した場合（Ｓ５７でＹＥＳ）には、撮影プレイが終了するのを待ち（Ｓ５８）、撮影プレイが終了したら（Ｓ５８でＹＥＳ）、タブレットディスプレイ１７に利用可能時間が終了した旨を表示し（Ｓ５９）、編集処理を終了する。
【００７８】
このように、編集側の処理が終了し、かつ、その終了した時刻が稼働時間を越えている場合に、撮影プレイの終了を待って、タブレットディスプレイ１７に利用可能時間が終了した旨を表示することで、写真撮影装置１の稼働を円滑に終了できる。
【００７９】
ここで、上述した編集ブース１９の利用時間の管理に関する処理を説明する。なお、既に述べたように、写真撮影装置１においては、編集プレイに制限時間が設けられており、別のユーザが撮影プレイをしていない場合などには、編集プレイの制限時間に所定の延長時間が付加されたり、編集プレイの制限時間が無制限に設定されたりして、編集ブース１９の利用時間が制御されている。
【００８０】
以下においては、編集プレイの制限時間に所定の延長時間が付加される場合と、編集プレイの制限時間に無制限の時間が付加される場合とに分けて、それぞれの場合における編集ブース１９の利用時間の管理に関する処理を説明する。
【００８１】
まず、編集プレイの制限時間に所定の延長時間が付加される場合の説明をする。以下では、編集可能時間Ａとして通常の制限時間１２０秒があらかじめ設定されており、延長時間として付加される時間が１８０秒である場合を説明する。
【００８２】
図１０に示すように、編集画面（図示は省略）がタブレットディスプレイ１７に表示されるのを待ち（Ｓ７１）、編集画面が表示されると（Ｓ７１でＹＥＳ）、撮影ブース６にて撮影プレイが行われているか、すなわち次に編集ブースを利用するユーザがいるかを判断する（Ｓ７２）。
【００８３】
Ｓ７２において、撮影プレイが行われていると判断した場合（Ｓ７２でＹＥＳ）には、編集プレイ中のユーザの制限時間に延長時間を付加することは好ましくないので、画像編集用コンピュータ装置２０ｂのＣＰＵ２２ｂが備える編集プレイタイマとしての機能により、編集可能時間Ａが１２０秒の状態でカウントダウンを開始する（Ｓ７６）。
【００８４】
また、Ｓ７２において撮影プレイが行われていないと判断した場合（Ｓ７２でＮＯ）には、稼働時間が設定されているかを判断する（Ｓ７３）。稼働時間が設定されていないと判断した場合（Ｓ７３でＮＯ）には、もとの編集可能時間Ａに、Ａ＋１８０秒を代入、すなわち制限時間１２０秒に延長時間である１８０秒を付加し、編集可能時間Ａを３００秒に延長する（Ｓ７５）。このようにすることで、撮影プレイが行われていない場合には、編集プレイを行うユーザに対して延長時間分のサービスタイムを付与することができる。
【００８５】
Ｓ７３において、稼働時間が設定されていると判断した場合（Ｓ７３でＹＥＳ）には、次に、現在時刻が、稼働時間を越えているかを判断し（Ｓ７４）、越えていないと判断した場合（Ｓ７４でＮＯ）には、処理をＳ７５に進め、編集プレイを行うユーザに対して延長時間分のサービスタイムを付与する。また、Ｓ７４において、現在時刻が、稼働時間を越えていると判断した場合（Ｓ７４でＹＥＳ）には、写真撮影装置１の稼働を設定した稼働時間に合わせて終了することができるよう、編集プレイを行うユーザに対して延長時間を付加することなく、処理をＳ７６に進める。なお、この際には、閉店時間が過ぎたので延長時間の付加ができない旨を、音声案内あるいは編集画面上に表示してユーザに伝えることで、ユーザに事情を理解してもらい、ユーザに不満を与えないようにすることが好適である。
【００８６】
そして、Ｓ７６において編集可能時間のカウントダウンが開始されると、この編集可能時間Ａが０秒になったかを監視する（Ｓ７７）。Ｓ７７においてＡ＝０になったと判断した場合（Ｓ７７でＹＥＳ）には、利用時間管理処理を終了して編集プレイを終了し、Ｓ７７においてＡ＝０ではないと判断した場合（Ｓ７７でＮＯ）には、ユーザにより編集プレイの終了を指示する「おしまい」ボタンが押されたかを判断し（Ｓ７８）、押されたと判断した場合（Ｓ７８でＹＥＳ）には、利用時間管理処理を終了して編集プレイを終了し、押されていないと判断した場合（Ｓ７８でＮＯ）には、処理をＳ７７に戻す。なお、上記のＳ７７とＳ７８との処理は先後の順序が逆でもかまわない。
【００８７】
以上のようにして、撮影プレイが行われていない場合であっても、図１４に示した従来のフローのように、無条件に延長時間を付加せず、Ｓ７４において、現在時刻が設定した稼働時間を越えていないかを判断し、越えている場合には、写真撮影装置１の稼働を速やかに終了させるために編集プレイの制限時間に延長時間を付加せず、また越えていないと判断した場合にのみ、編集プレイの制限時間に延長時間を付加するようにしたことで、ユーザに対しては可能な限りで編集プレイの延長時間を提供することができ、また、現在時刻が設定した稼働時間を越えた場合には、写真撮影装置１の稼働を速やかに終了させることができる。したがって、写真撮影装置１が設置される店舗においては、営業終了時刻の近傍において、遅滞なく閉店作業に取り掛かることができる。
【００８８】
なお、上記のＳ７５において、延長時間として１８０秒が付加される場合を説明したが、この延長時間として付加される時間が∞秒である場合が、サービスタイムとして、編集プレイの時間が無制限となる場合であり、以下では図１１を参照しながら説明する。
【００８９】
図１１に示すように、編集画面（図示は省略）がタブレットディスプレイ１７に表示されるのを待ち（Ｓ９１）、編集画面が表示されると（Ｓ９１でＹＥＳ）、撮影ブース６にて撮影プレイが行われているか、すなわち次に編集ブースを利用するユーザがいるかを判断する（Ｓ９２）。
【００９０】
Ｓ９２において、撮影プレイが行われていると判断した場合（Ｓ９２でＹＥＳ）には、編集プレイ中のユーザの編集可能時間を無制限にすることは好ましくないので、画像編集用コンピュータ装置２０ｂのＣＰＵ２２ｂが備える編集プレイタイマとしての機能により、編集可能時間Ａが１２０秒の状態でカウントダウンを開始する（Ｓ９５）。
【００９１】
そして、「おしまい」ボタンが押されたかを判断し（Ｓ９６）、押されたと判断した場合（Ｓ９６でＹＥＳ）には、利用時間の管理処理を終了して編集プレイを終了する。また、Ｓ９６において、「おしまい」ボタンが押されていないと判断した場合（Ｓ９６でＮＯ）には、編集可能時間Ａが０になったかを判断する（Ｓ９７）。Ｓ９７において、Ａ＝０になったと判断した場合（Ｓ９７でＹＥＳ）には、利用時間の管理処理を終了して編集プレイを終了する。また、Ｓ９７でＡ＝０になっていないと判断した場合（Ｓ９７でＮＯ）には、処理をＳ９６に戻す。なお、上記のＳ９６とＳ９７との処理は先後の順序が逆でもかまわない。
【００９２】
一方、Ｓ９２において、撮影プレイ中ではないと判断した場合（Ｓ９２でＮＯ）には、稼働時間が設定されているかを判断する（Ｓ９３）。Ｓ９３において、稼働時間が設定されていると判断した場合（Ｓ９３でＹＥＳ）には、現在時刻が、設定されている稼働時間を越えたかを判断する（Ｓ９４）。Ｓ９４において、現在時刻が、設定されている稼働時間を越えたと判断した場合（Ｓ９４でＹＥＳ）には、写真撮影装置１の稼働を設定した稼働時間に合わせて終了することができるよう、編集プレイを行うユーザに対してサービスタイムを付加することなく、処理をＳ９５に進める。
【００９３】
また、Ｓ９３において、稼働時間が設定されていないと判断した場合（Ｓ９３でＮＯ）、もしくはＳ９４において、現在時刻が、設定されている稼働時間を越えていないと判断した場合（Ｓ９４でＮＯ）には、編集プレイを行うユーザに対し、編集可能時間を無制限にしても、何ら差し支えが無いので、もとの編集可能時間Ａに、Ａ＋∞秒を代入、すなわち制限時間１２０秒を無制限にする（Ｓ９８）。これにより、編集プレイを行うユーザに対して十分な編集時間を提供することができる。
【００９４】
そして、次に、稼働時間が設定されているかを判断し（Ｓ９９）、設定されていないと判断した場合（Ｓ９９でＮＯ）には、ユーザにより「おしまい」ボタンが押されたかを判断し（Ｓ１０２）、押されていないと判断した場合（Ｓ１０２でＮＯ）には、編集プレイを継続させるべく、処理をＳ９９に戻す。また、Ｓ１０２において、ユーザにより「おしまい」ボタンが押されたと判断した場合（Ｓ１０２でＹＥＳ）には、利用時間の管理処理を終了して編集プレイを終了する。
【００９５】
一方。Ｓ９９において、稼働時間が設定されていると判断した場合（Ｓ９９でＹＥＳ）には、現在時刻が、稼働時間を越えたかを判断する（Ｓ１００）。Ｓ１００において、現在時刻が、稼働時間を越えていないと判断した場合（Ｓ１００でＮＯ）には、処理をＳ１０２に進める。また、Ｓ１００において、現在時刻が、稼働時間を越えたと判断した場合（Ｓ１００でＹＥＳ）には、編集可能時間を無制限にしたままであると、ユーザが編集プレイを延々と続けた場合には、写真撮影装置１の稼働を終了させることができないので、画像編集用コンピュータ装置２０ｂのＣＰＵ２２ｂが備える制限手段としての機能により、この無制限の状態を解消すべく、編集可能時間Ａに１５０秒を代入する。Ｓ１０１の処理を終えると、処理をＳ９５に進める。このとき、代入する値を１５０秒とするのは、もともと付与されている制限時間としての１２０秒を確保するためであり、また、急に制限時間どおりに１２０秒のカウントダウンを開始すると、無制限のサービスタイムを期待しているユーザが不満を抱く恐れがあり、このようなユーザの不満が生じないようにするためである。なお、Ｓ１０１の処理の際には、閉店時間が過ぎたので無制限のサービスタイムを終了する旨を、音声案内あるいは編集画面上に表示してユーザに伝えることで、ユーザに事情を理解してもらい、ユーザに不満を与えないようにすることが好適である。
【００９６】
以上のようにすることで、現在時刻が稼働時間を越えていない場合では、撮影プレイの開始の有無に応じて、可能な限りで編集プレイ中のユーザに対してサービスタイムを与えることができ、また、サービスタイムを与えている状態で、現在時刻が、設定されている稼働時間を越えた場合には、サービスタイムを終了すべく、編集可能時間のカウントダウンを開始するので、ユーザの編集プレイを円滑に終了させることができる。
【００９７】
なお、上記においては、撮影側筐体３における背景ユニット４に対向する側の面に、指示手段としての稼働終了指示ボタン３２（図３参照）が設けられていることを説明したが、この稼働終了指示ボタン３２は、例えば現在時刻が設定されている稼働時間に達していない場合であっても、写真撮影装置１が設置される店舗などの管理人がこの稼働終了指示ボタン３２を押すことで、任意のタイミングで利用制限手段を作動させることができる。すなわち、この稼働終了指示ボタン３２を押すことで、現在時刻が稼働時間を越えた場合と同様の処理を、撮影用コンピュータ装置２０ａ、画像編集用コンピュータ装置２０ｂにさせることができ、上記任意のタイミングで、写真撮影装置１を円滑に終了させることができる。また、このような稼働終了指示ボタン３２を設けることにより、写真撮影装置１の稼働を終了させることができるので、稼働時間をテストモードなどでわざわざ設定する必要がなく、設定の手間を省くことができる。
【００９８】
以上のように本発明によると、撮影ブース６と、この撮影ブース６とは異なる箇所に少なくとも一つの編集ブース１９とを備えた、多重接客方式を採用する写真撮影装置１において、ユーザによる写真撮影装置１の利用を円滑に終了させることができる。これにより、写真撮影装置１が設置される店舗などにおいては、営業終了時刻の近傍において、遅滞なく閉店作業に取り掛かることができる。また、このようにすることで、写真撮影装置１の電源を強制的に落として写真撮影装置１の稼働を終了する必要もない。
【００９９】
さらに、上記において説明したように、撮影プレイ中、編集プレイ中など種々の処理において、常に、現在時刻が稼働時間を越えていないかを監視しているので、写真撮影装置１の稼働を、よりいっそう店舗の営業終了時刻の近傍で終了させることができ、また、写真撮影装置１全体の利用を同時に終了させるのではなく、撮影プレイ、編集プレイごとに、順次に利用を終了させていくので、例えば編集プレイ中に、新たなユーザが撮影プレイを開始するといったことを防止することができる。したがって、その分、写真撮影装置１の利用を、店舗の営業終了時刻の近傍において円滑に終了させることができる。
【０１００】
（実施の形態２）
次に、本発明の写真撮影装置１の実施の形態２を説明する。実施の形態１では稼働時間を設定する際に、稼働時間を、稼働開始時刻から稼働終了時刻までというように時間帯として設定したが、実施の形態２では、稼働時間として稼働終了時刻のみを設定する。したがって、実施の形態１で説明した写真撮影装置１と実施の形態２で説明する写真撮影装置とは、外観構成および機能構成は同様であるので、同じものには同符号を付することでその詳細な説明は省略する。
【０１０１】
また、上記のように、実施の形態２では、稼働開始時刻の設定は行わないので、図４に示したフローにおけるＳ２５で、撮影側の処理は終了し、Ｓ２６、Ｓ２７の処理は行われない。この点を除けば、実施の形態２の写真撮影装置１における、撮影側の処理（図４参照）、テストモード（図５参照）、編集側の処理（図９参照）、および利用時間管理処理（図１０および図１１参照）は、実施の形態１と同様である。したがって、ここでは、上記の種々の処理についての詳細な説明も省略する。しかしながら、図５に示すテストモードにおいて、Ｓ４６のときに表示される運営タイマー設定画面（図７および図８参照）が、実施の形態１とは異なるので、以下では、この異なる画面例を参照しながら、稼働時間として稼働終了時刻のみを設定する場合を説明する。
【０１０２】
実施の形態２においては、テストモード（図５参照）におけるＳ４６にて表示される運営タイマー設定画面は、図１２のようになる。図１２に示すように、実施の形態２では、撮影用コンピュータ装置２０ａのＣＰＵ２２ａが備える設定手段としての機能により、稼働終了時刻のみを設定する。このとき、繁華街など午前零時を回っても営業をしている店舗に対応できるように、稼働終了時刻として設定可能な時間の範囲を、例えば、１２時００分〜２９時５９分のように設けておく。このようにすることで、例えば、翌朝の午前５時までが営業時間であるような店舗の場合、稼働終了時刻を「２９時００分」に設定することができるので、日付が変わる営業時間であっても、稼働終了時刻の設定を簡単に行うことができる。
【０１０３】
また、実施の形態１と同様に、この稼働時間の設定は、図１３に示すように、曜日ごとに個別に設定できるようにしてもよい。このようにすることで、平日、休日、休業日、特異日など、写真撮影装置１の稼働時間が異なる場合でも、オペレータは、いちいち稼働時間の設定を変更する必要がなくなり、操作性が向上する。また、図示は省略するが、同様にして、暦（カレンダー）のように、月単位で、各日の設定を行えるようにしてもよい。
【図面の簡単な説明】
【０１０４】
【図１】本発明の実施の形態の写真撮影装置を示す側面図である。
【図２】図１に示す編集側筐体の斜視図である。
【図３】図１に示す写真撮影装置の機能構成を示すブロック図である。
【図４】写真撮影装置における撮影側での処理を説明するフローチャートである。
【図５】図４に示すテストモードの処理を説明するフローチャートである。
【図６】テストモード時におけるメインメニュー画面の例を示す図である。
【図７】運営タイマー設定画面の例を示す図である。
【図８】図７に示した画面例とは異なる画面例を示す図である。
【図９】写真撮影装置における編集側の処理を説明するフローチャートである。
【図１０】サービスタイムが無制限として設定されている場合の編集プレイ時における時間管理処理を説明するフローチャートである。
【図１１】サービスタイムが延長時間の付加として設定されている場合の編集プレイ時における時間管理処理を説明するフローチャートである。
【図１２】実施の形態２における運営タイマー設定画面の例を示す図である。
【図１３】図１２に示した画面例とは異なる画面例を示す図である。
【図１４】従来の技術において、制限時間に対して延長時間が付加される場合のフローの概略例である。
【符号の説明】
【０１０５】
６  撮影ブース
１９  編集ブース
【図１】
0004467072.tif 000002
【図２】
0004467072.tif 000003
【図３】
0004467072.tif 000004
【図４】
0004467072.tif 000005
【図５】
0004467072.tif 000006
【図６】
0004467072.tif 000007
【図７】
0004467072.tif 000008
【図８】
0004467072.tif 000009
【図９】
0004467072.tif 000010
【図１０】
0004467072.tif 000011
【図１１】
0004467072.tif 000012
【図１２】
0004467072.tif 000013
【図１３】
0004467072.tif 000014
【図１４】
0004467072.tif 000015